【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
カートリッジであって、
産出物溶液を生み出すよう、異なる溶液を混合するように構成された混合構成要素と、
前記混合構成要素とカートリッジ内の１つ又は複数のチャンバとの間に、液体連通をもたらす１つ又は複数のチャネルと、
を備えることを特徴とするカートリッジ。
【請求項２】
前記混合構成要素は、互いに液体連通する複数の体積可変リザーバを備えることを特徴とする請求項１に記載のカートリッジ。
【請求項３】
混合チャネルは、前記混合構成要素内の前記体積可変リザーバ間を液体連通とし、１つ又は複数の前記体積可変リザーバは、少なくとも部分的に前記混合チャネル内の開口を覆って配置された可撓性部材によって区画されることを特徴とする請求項２に記載のカートリッジ。
【請求項４】
前記混合チャネルの断面積は、前記混合構成要素から液体を運び去るように構成された１つ又は複数のチャネルの断面積よりも大きいことを特徴とする請求項３に記載のカートリッジ。
【請求項５】
前記混合構成要素と１つ又は複数の保管リザーバとの間を液体連通とするように構成された、１つ又は複数の入口チャネルをさらに備えることを特徴とする請求項１に記載のカートリッジ。
【請求項６】
１つ又は複数の前記入口チャネルが、前記通気チャネルから気体を通気するように構成された通気チャネルと液体連通し、前記通気チャネルが、体積可変リザーバへと、かつ／又はそこから前記気体を移送するように構成されていることを特徴とする請求項５に記載のカートリッジ。
【請求項７】
前記１つ又は複数の弁を閉じることによって、前記混合構成要素を前記１つ又は複数の保管リザーバから水力学的に遮断するように、１つ又は複数の弁が１つ又は複数の前記入口チャネルに沿って配置されることを特徴とする請求項５に記載のカートリッジ。
【請求項８】
前記カートリッジは、前記保管リザーバの少なくとも一部を含む保管構成要素を備え、
前記カートリッジは、前記保管構成要素と結合されるように構成された移送構成要素を備え、前記移送構成要素は前記溶液を１つ又は複数のリザーバから前記１つ又は複数のチャンバへと移送するように構成され、前記移送構成要素が、前記保管構成要素に取外し可能に取り付けられることを特徴とする請求項５に記載のカートリッジ。
【請求項９】
１つ又は複数の体積可変リザーバは、前記混合構成要素と１つ又は複数の前記チャンバとの間のチャネルに沿って配置されることを特徴とする請求項１に記載のカートリッジ。
【請求項１０】
複数の前記チャンバは前記混合構成要素と液体連通し、前記チャンバはそれぞれ、別々の体積可変リザーバと液体連通することを特徴とする請求項１に記載のカートリッジ。
【請求項１１】
１つ又は複数のセンサは、前記各チャンバ内に配置され、各チャンバは別々の体積可変リザーバと液体連通し、１つ又は複数の弁は前記１つ又は複数の弁を閉じることによって前記チャンバが前記混合構成要素から水力学的に遮断されるように、前記チャネル内に配置されることを特徴とする請求項１に記載のカートリッジ。
【請求項１２】
前記チャンバはそれぞれ、液体内の作用物質の存在及び／又は量を検出するための、１つ又は複数の電気化学的センサを備えることを特徴とする請求項１に記載のカートリッジ。
【請求項１３】
カートリッジ内の複数の体積可変リザーバを備える混合構成要素内へと、複数の異なる溶液を移送するステップであって、前記異なる溶液が、前記混合構成要素内で組み合わさって産出物溶液となる、前記移送するステップと、
前記産出物溶液内の前記溶液を混合するように、前記産出物溶液を前記体積可変リザーバのうちの１つから別の前記体積可変リザーバ内へと移送するステップと、
前記産出物溶液を前記カートリッジ内の１つ又は複数のチャンバへと移送するステップと、
を有することを特徴とするカートリッジ内の溶液を混合する方法。
【請求項１４】
前記産出物溶液を前記体積可変リザーバのうちの１つから別の前記体積可変リザーバ内へと移送するステップは、前記産出物溶液を同一の体積可変リザーバ内へと２回以上移送するステップを有することを特徴とする請求項１３に記載の方法。
【請求項１５】
前記産出物溶液を前記体積可変リザーバのうちの１つから移送する前に、前記混合構成要素内の前記産出物溶液を前記カートリッジの別の領域から水力学的に遮断するように、前記カートリッジ上の１つ又は複数の弁を閉じるステップと、
前記産出物溶液を前記カートリッジ内の１つ又は複数のチャンバへと移送する前、かつ前記産出物溶液を前記体積可変リザーバのうちの１つから移送した後、少なくとも一つの前記複数の弁を開くステップと、
をさらに有することを特徴とする請求項１３に記載の方法。
【請求項１６】
カートリッジ内の複数のチャンバと、
それぞれ互いに液体連通し、かつ前記チャンバと液体連通する、複数の体積制御デバイスと、
１つ又は複数の弁とを備え、前記弁のすべて又は一部を閉じることによって、前記体積制御デバイスのうちの１つである第１の体積制御デバイスとその他の体積制御デバイスとの間の前記液体連通が閉じられ、前記第１の体積制御デバイスと前記チャンバのうちの第１のチャンバとの間の前記液体連通が開かれたままとなり、前記第１の体積制御デバイスと、前記第１のチャンバ以外の前記チャンバとの間の前記液体連通が閉じられるように、前記１つ又は複数の弁が配置されていることを特徴とするカートリッジ。
【請求項１７】
前記体積制御デバイスはそれぞれ、体積可変リザーバを備え、
前記体積リザーバの少なくとも１つは、溶液を移送するように構成された移送チャネル内の開口を覆う可撓性部材によって少なくとも部分的に区画されていることを特徴とする請求項１６に記載のカートリッジ。
【請求項１８】
カートリッジを動作させる方法において、
１つ又は複数の溶液を、カートリッジ内に含まれ、それぞれが互いに連通しあい、かつ複数のチャンバと液体連通する複数の体積制御デバイスのうちの、少なくとも第１の体積制御デバイスの内部へと移送するステップと、
前記第１の体積制御デバイスとその他の体積制御デバイスとの間の前記液体連通を閉じ、前記第１の体積制御デバイスと前記チャンバのうちの第１のチャンバとの間の前記液体連通を開いたままとし、前記第１の体積制御デバイスと前記第１のチャンバ以外の前記チャンバとの間の前記液体連通を閉じるように、前記カートリッジ上の全部又は一部の弁を閉じるステップと、
前記溶液を、前記第１の体積制御デバイスから前記第１のチャンバへと移送するステップと、
を有することを特徴とする方法。
【請求項１９】
前記体積制御デバイスはそれぞれが体積可変リザーバを備え、
前記第１の体積制御デバイスから前記第１のチャンバへと移送するステップは、体積可変リザーバの体積を減少させるステップを有することを特徴とする請求項１８に記載の方法。
【請求項２０】
移送チャネルを通って溶液が移送されるときに、通気チャネルが前記移送チャネルから気体を除去するように、前記移送チャネルと接続される通気チャネルと、
前記通気チャネル内の圧力が上昇するときに、前記体積可変リザーバの体積が増大するように、前記通気チャネルと流体連通する体積可変リザーバと、
を備えることを特徴とするカートリッジ。
【請求項２１】
前記体積可変リザーバは、少なくとも部分的に、前記通気チャネル内の開口を覆って配置された可撓性層によって区画されることを特徴とする請求項２０に記載のカートリッジ。